(57)【要約】【課題】  レイアウトテンプレートにおいて、傾斜したフレームに写真画像が挿入される場合に、ユーザが意図する編集作業を簡素化することを目的とする。【解決手段】  ユーザはプリセットで定義されたレイアウトテンプレートを設定し、そこに定義されたフォトフレームに対してユーザが画像データを貼付け実施する場合に、本発明を利用することで、ページエリアに指定された傾斜角度を付けたフォトフレームに画像データを貼り付ける際に、ページエリアに対してフォトフレームの傾き角度に応じて、貼付け画像データの展開方向を自動的に補正することで、表現的に上辺に相当する展開方向にあるべき画像を判断し、ユーザが意図する操作を自動的に実施する。【選択図】  図１２
2006134229.tif 000002
【特許請求の範囲】
【請求項１】
画像データを管理する画像編集装置であって、画像データを電子アルバム文書内のページエリアに貼り付ける画像貼付エリア（フォトフレーム）を有するプリセットされた複数種類のレイアウトテンプレートより、所望のレイアウトテンプレートを指定するレイアウトテンプレート指定手段と、電子アルバムデータ中の印刷候補が表示されるページエリアとは別に、画像退避領域に電子画像データを管理する画像管理手段と、画像退避領域上に画像データを表示する画像表示手段と、画像退避領域上の画像データより前記レイアウトテンプレート指定手段で指定されたレイアウトテンプレートに貼り付ける画像データを指定する画像データ指定手段と、前記画像データ指定手段にてレイアウトテンプレート中のフォトフレームに貼り付けて管理するレイアウト管理手段と、画像貼り付け処理後のレイアウトテンプレートを出力する出力制御手段とを備えることを特徴とする画像編集装置。
【請求項２】
請求項１より、電子アルバム文書に定義されたプリセットで提供されるレイアウトテンプレートにおいて、ページエリアに展開されたレイアウトテンプレートに定義されたフォトフレームに対して、ページエリアの座標軸Ｘ軸およびＹ軸を定める手段と、フォトフレームの重心を求めるべく各辺の中点からの線分を求める手段と、前記Ｙ軸と中点からの線分とが挟む角度を求める手段と、前記角度によってフォトフレームに対して画像データの展開方向を自動的に変更する手段を備えることを特徴とする画像編集装置。
【請求項３】
請求項１および請求項２より、フォトフレーム内に展開する画像データの縦横アスペクト比を変更しない手段と、画像データをフォトフレームに対して最大フィットまたは最小フィットにて貼付けを実施する手段とを備えることを特徴とする画像編集装置。
【請求項４】
さらに請求項３より、傾斜角度があるフォトフレームに画像を貼り付けたフォトフレームに対して回転編集を加える手段と、前記回転編集を加えたフォトフレーム追随して画像データも回転する手段とを備えることを特徴とする画像編集装置。
【発明の詳細な説明】
【技術分野】
【０００１】
本発明は、ユーザが所有する電子画像データを使用し、電子アルバムを手軽に作成する画像編集装置に関するものである。
【背景技術】
【０００２】
近年、デジタルカメラなどの小型化・軽量化が進み携帯が容易になり、一般ユーザが手軽に旅行や行事などで撮影した電子化された画像を手軽に扱え、安価で高性能化されたＰＣの普及に伴い、多くの場合デジタルカメラで撮影した電子画像データをＰＣのＨＤＤに転送し管理保存されているのが一般的である。
【０００３】
また、大量の電子画像データを管理・保存する上で、ＰＣ上で電子アルバムというかたちで整理整頓する用途も増え、自宅で電子画像データを電子アルバム編集アプリケーションにて取り込み編集を行い、オリジナルな電子アルバム作りが浸透し始めてきている。
【０００４】
そのような状況下で、電子アルバム編集アプリケーションにおいては、電子画像データおよびその電子画像データに付随するコメント文字データを、ページエリアをベースとしあらかじめプリセットされたレイアウトテンプレートを利用し、レイアウトテンプレートには電子画像データをはめ込むためのフォトフレームや、それに付随するコメント文字データを入力するコメント領域枠などが、あらかじめ定義されていることが一般的である。（非特許文献１参照）
【０００５】
さらに、安価で高速なインターネット網を利用して、オリジナルで作成した電子アルバムを転送し、ユーザから注文があった形態でプリントアウトして製本した電子アルバム商品を提供するプリントプロバイダの登場にもつながっている。
【非特許文献１】「ＺｏｏｍＢｒｏｗｓｅｒ  ＥＸ  ソフトウェアユーザーガイド  ｖｅｒｓｉｏｎ５．０」、キヤノン株式会社、２００４年９月２２日、第１９〜２４頁
【発明の開示】
【発明が解決しようとする課題】
【０００６】
従来の銀塩写真では、ユーザが銀塩写真カメラ（アナログカメラ）等で撮影したフィルムをカメラ店などでプリントした紙状の写真を市販のアルバム台紙に貼り付けることで、写真の管理・保存しアルバム閲覧を楽しんでいた。近年になって、デジタルカメラの普及によって画像のデジタル化が進み、印刷物として出力しなくてもＰＣがあれば、電子アルバム編集アプリケーションで作成した電子アルバムを、ディスプレイを通じてアルバム台紙感覚で閲覧が楽しめ、またインターネット網が接続されていれば、遠方の人々にもインターネットを通じて閲覧することが可能になった。
【０００７】
そこで、ユーザがオリジナル電子アルバムを作成するような場合には、電子アルバム編集アプリケーションを利用することが多い。オリジナルなアルバムを作成する上でユーザが電子アルバム編集アプリケーションにプリセットで設定されているレイアウトテンプレートを選択するケースなど、プリセットのレイアウトテンプレートを作成したデザイナーが意図して傾斜したフォトフレームを作成しているような場合、ユーザが任意の電子画像データを対象のフォトフレームに貼り付けた場合など、ユーザが意図する方向とデザイナーが意図する方向とが食い違うケースが生じる可能性がある。このような場合には、ユーザが常に方向を意識して編集し、またユーザが対象のフォトフレームの書式データを手作業で自分が意図する方向に変更する手間が生じていた。また、せっかくデザイナーがバランスよく作成したレイアウトテンプレートデータを、ユーザが書式データを書き換えたりすることで、バランスが崩れ均整の取れたプリセットされたレイアウトテンプレートデータの利点が活かせない問題が発生していた。
【課題を解決するための手段】
【０００８】
画像データを管理する画像編集装置であって、画像データを電子アルバム文書内のページエリアに貼り付ける画像貼付エリア（フォトフレーム）を有するプリセットされた複数種類のレイアウトテンプレートより、所望のレイアウトテンプレートを指定するレイアウトテンプレート指定手段と、電子アルバムデータ中の印刷候補が表示されるページエリアとは別に、画像退避領域に電子画像データを管理する画像管理手段と、画像退避領域上に画像データを表示する画像表示手段と、画像退避領域上の画像データより前記レイアウトテンプレート指定手段で指定されたレイアウトテンプレートに貼り付ける画像データを指定する画像データ指定手段と、前記画像データ指定手段にてレイアウトテンプレート中のフォトフレームに貼り付けて管理するレイアウト管理手段と、画像貼り付け処理後のレイアウトテンプレートを出力する出力制御手段とを備えることを特徴とする。
【０００９】
請求項１より、電子アルバム文書に定義されたプリセットで提供されるレイアウトテンプレートにおいて、ページエリアに展開されたレイアウトテンプレートに定義されたフォトフレームに対して、ページエリアの座標軸Ｘ軸およびＹ軸を定める手段と、フォトフレームの重心を求めるべく各辺の中点からの線分を求める手段と、前記Ｙ軸と中点からの線分とが挟む角度を求める手段と、前記角度によってフォトフレームに対して画像データの展開方向を自動的に変更する手段を備えることを特徴とする。
【００１０】
請求項１および請求項２より、フォトフレーム内に展開する画像データの縦横アスペクト比を変更しない手段と、画像データをフォトフレームに対して最大フィットまたは最小フィットにて貼付けを実施する手段とを備えることを特徴とする。
【００１１】
さらに請求項３より、傾斜角度があるフォトフレームに画像を貼り付けたフォトフレームに対して回転編集を加える手段と、前記回転編集を加えたフォトフレーム追随して画像データも回転する手段とを備えることを特徴とする。
【発明の効果】
【００１２】
以上、説明したように本発明の画像編集装置によれば、電子アルバムを作成するような場合に、ユーザはプリセットで定義されたレイアウトテンプレートを設定し、そこに定義されたフォトフレームに対してユーザが画像データを貼付け実施する場合に、本発明を利用することで、ページエリアに指定された傾斜角度を付けたフォトフレームに画像データを貼り付ける際に、ページエリアに対してフォトフレームの傾き角度（４５度を境）に応じて、貼付け画像データの展開方向が自動的に変わる（補正する）ことで、表現的に上辺に相当する展開方向にあるべき画像を判断し、ユーザが意図する操作を自動的に実施することで編集作業の簡素化が図れ、電子アルバム作成作業における効率が上がる効果があることを特徴とする。
【発明を実施するための最良の形態】
【００１３】
以下、添付図面を参照しながら本発明の好適な実施例の形態を説明する。
【００１４】
＜装置の説明＞
図１は、本発明の一実施形態に係る画像編集装置の構成を示すブロック図である。図１のこの画像編集装置において、１０１はＣＲＴ（表示装置）であり、その表示画面には、例えば編集中の文書・図形・画像イメージなどの編集情報、アイコン・メッセージ・メニューその他のユーザインターフェース情報が表示される。１０２はＶＲＡＭであり、ＣＲＴ１０１の表示画面に表示するための画像が描画される。このＶＲＡＭ１０２にて生成された画像データは、所定の規定に従ってＣＲＴ１０１に転送され、これによりＣＲＴ１０１に画像が表示される。１０３はビットムーブユニット（ＢＭＵ）であり、メモリ間（例えばＶＲＡＭ１０２と他のメモリ）のデータ転送や、メモリとＩ／Ｏデバイス（例えば、ネットワークインターフェース１１１）との間のデータ転送を制御する。１０４はキーボードであり、文書等を入力するための各種キーを有する。１０５はポインティングデバイスであり、例えばＣＲＴ１０１の表示画面上に表示されたアイコン・メッセージ・メニューその他のオブジェクトを指示するために使用される。１０６はＣＰＵであり、ＲＯＭ１０７、ハードディスク１０９またはフロッピー（登録商標）ディスク１１０に格納された制御プログラムに基づいてＣＰＵ１０６に接続された各デバイスを制御する。１０７はＲＯＭであり、各種の制御プログラムやデータを保持する。１０８はＲＡＭであり、ＣＰＵ１０６のワーク領域、エラー処理時のデータの退避領域として使われ、制御プログラムのロード領域等を有する。１０９はハードディスクドライブ（ＨＤＤ）である。ハードディスクドライブ１０９は、情報処理装置内で実行される各制御プログラムやコンテンツを格納することができる。例えば、ユーザクライアントＰＣのハードディスクドライブ１０９には、ＷＥＢブラウザ、電子アルバムデータ、アルバム編集プログラムなどが格納されている。１１０はフロッピー（登録商標）ディスクドライブ（ＦＤＤ）であり、フロッピー（登録商標）ディスクに対するアクセス制御を行う。１１１はネットワークインターフェースであり、他の情報処理装置やプリンタ等とネットワーク網１１２を介して通信を行うことが可能である。１１２はネットワーク網であり、オンラインで接続された他の情報処理装置と通信を行うものである。１１３はＣＰＵバスであり、アドレスバス、データバスおよびコントロールバスを含むものである。ＣＰＵ１０６に対する制御プログラムの提供は、ＲＯＭ１０７、ハードディスクドライブ１０９、フロッピー（登録商標）ディスクドライブ１１０から実施することも可能で、ネットワーク網１１２を介して他の情報処理装置等から実施することも可能である。
【００１５】
＜アプリケーション画面の説明＞
次に、本実施例における電子アルバム編集アプリケーションの全体構成を表した説明図を図２に示す。レイアウトはあらかじめ決められたページ枚数のアルバム文書となっており、各ページエリアの編集はアルバムの臨場感を出すため、見開きページを採用してレイアウトされている。以降、説明をわかり易くするため編集中のページが４ページ目と５ページ目で見開き状態になっているケースを例にして説明する。２０１は本実施例における電子アルバム編集アプリケーションの編集ウィンドウである。編集領域は大きく分けて３つに分かれている。
【００１６】
１つ目の領域として２０２で示すアルバム編集領域があり２０３はアルバムが見開き状態でページエリアが表示されたレイアウトデータとなっている。２０３レイアウトデータには、本実施例ではアルバムの４，５ページ目が表示されており、そこにはレイアウトテンプレートデータとして配置されたフォトフレーム２０４が表示されている。また、レイアウトテンプレートデータにはその他にもフォトフレームが存在している場合がある。レイアウトデータ２０３が表示されている下部には、現在の編集中のページ数が表示されている２０５。現在編集中ページ数の表示部２０５の間には、編集ページの変更用にボタンが表示され、２０６で示される前ページボタンをポインティングデバイス１０５などで選択すると、レイアウトデータ２０３が前ページにあたる２，３ページ目がレイアウトデータ２０３に表示される。また、２０７が示す後ページボタンを選択すると６，７ページ目がレイアウトデータ２０３に表示されることになる。
【００１７】
次に２つ目の領域として２０８が示す画像データ仮置き場が存在する。画像データ仮置き場２０８にはレイアウトデータ２０３中のレイアウトテンプレートデータに存在するフォトフレーム２０４に対して貼り付ける対象となる画像データ２０９が整列されている。
【００１８】
３つ目の領域として、アルバム文書内のページ構成を簡易的に表現したアルバム文書ページナビ２１０が存在する。アルバム文書ページナビ２１０には、アルバム文書内の各ページが見開き状態で簡易的に表示され、現在レイアウトデータ２０３に表示されているページ箇所を２１１が示すような表現で表示される。
【００１９】
以下に、上記で説明した図１の画像編集装置や図２の電子アルバム編集アプリケーションと後述する図面を参照して、この発明の好適な実施の形態を例示的に詳しく説明する。ただし、この実施形態に記載されている構成要素はあくまで例示であり、この発明の範囲をそれらのみに限定する趣旨のものではない。
【００２０】
＜第１の実施例＞
図４は本実施例における電子アルバム編集プログラムの機能構成を示すブロック図である。４０１は電子アルバムのデータを管理してアプリケーションを制御するためのデータ制御部、４０２は電子アルバムのＧＵＩを制御してユーザに対する操作手段や編集内容の表示手段を提供するためのＧＵＩ制御部、４０３は電子アルバムに使用されるデザイン情報（レイアウトテンプレートデータなど）を管理するためのデザイン制御部、４０４は電子アルバムを元に印刷注文に必要な印刷データを作成して、同印刷データ及び注文処理に必要な情報の通信処理を行うための通信制御部である。４０５はデータ制御部４０１により管理されているアルバム表紙に割り振られる画像データ、４０６はページ内に割り振られる画像データである。４０７はデザイン制御部４０３により管理されているレイアウトファイルで各ページ見開きにおける画像や文字列の配置を決定するための情報が記録されている。４０８はデザイン制御部４０３により管理されている画像データ割付テーブルで各ページに割り付けられる画像データ数に関わる情報テーブルが記録されている。
【００２１】
図３は、本実施例形態に係る画像編集装置における電子アルバムレイアウト処理に関する大まかな動作を説明するフローチャートである。
【００２２】
ステップＳ３０１はレイアウトテンプレート選択工程で、電子アルバムのレイアウトの体裁となるテンプレートを選択及び決定する処理、及び電子アルバムの物理的なサイズやページ数を決定するための処理を行う。テンプレート選択工程ステップＳ３０１でテンプレートを選択すると、各テンプレートは各々レイアウトファイル４０７と画像データ割付テーブル４０８を保持しており、デザイン制御部４０３は、レイアウトファイル４０７と画像データ割付テーブル４０８を電子アルバム内のデータとして取り込む。次に、アルバムの基礎となるレイアウトテンプレートデータの指定方法について、図５を用いて説明する。本発明におけるアルバム文書には、プリセットされたいくつかのレイアウトテンプレートデータが備わっている。このレイアウトテンプレートデータは、各見開きページ単位で指定が可能で、５０１に示すレイアウトテンプレートデザイン選択ダイアログより所望のレイアウトテンプレートを選択する方法で行う。レイアウトテンプレートデザイン選択ダイアログ５０１には５０２レイアウトテンプレート１などのようにプリセットされた候補が表示され、マウス１０５またはキーボード１０４より候補１つを選択し、「変更する」ボタン５０３を選択することで、該当ページエリアのレイアウトテンプレートが、前記選択レイアウトテンプレートに切り替わることになる。「キャンセル」ボタン５０４を選択することでレイアウトテンプレート変更が中断されることになる。
【００２３】
次のステップＳ３０２において、画像データ選択工程で画像データを選択する。ステップＳ３０１で選択したテンプレートデータで割付可能な画像データの枚数の範囲が予め設定されているので、ユーザは範囲内の数の画像データを選択する。また、ユーザは表紙で使用する画像データを選択する。データ制御部４０１で、選択画像を表紙用画像データ４０５およびページ内画像データ４０６として電子アルバム内のデータとして取り込む。ここで、本発明の肝である画像データを定義したテンプレートデータのフォトフレームに取り込む際の流れを、図６に示すフローチャートを用いて説明する。まず、Ｓ６０１ではページエリアに選択したレイアウトテンプレートデータの展開を行う。Ｓ６０２では、まだフォトフレームに対して画像の貼付け処理を実施していないものがないかのチェックを行う。ここで未処理フォトフレームがない場合は処理終了となる。Ｓ６０３では、貼付け画像データの有無の判断を行う。やはり、ここで画像データがない場合は処理の終了となる。Ｓ６０４では、貼付け対象のフォトフレームに対してフォトフレーム内表示設定処理を行う。詳細フロー処理を図１２にて説明する。まず、Ｓ１２０１にて本発明の肝となるレイアウトテンプレートで定義されたフォトフレームの傾き角度を求める処理である。通常傾きがないフォトフレームは図８に示すように、画像データ８０１をフォトフレーム８０２に対して画像データ貼付けを実施する際に、フォトフレーム８０２とページエリアのＸ軸方向８０４とＹ軸方向８０３とで傾きを調べる。この例の場合は傾きがないのでフォトフレームに対して最小フィットで画像を貼り付けた例を８０６に示す。ここで最小フィットおよび後述する最大フィットについて図１３で説明する。（Ａ）最大フィットのケースで説明すると、貼付け先のフォトフレーム１３０２の大きさに対して、貼り付ける画像１３０１を最小でフォトフレームを包含する大きさで縦横のアスペクト比を変えずに変倍をかけ貼り付けることを示すものである。また（Ｂ）最小フィットのケースで説明すると、貼付け先のフォトフレーム１３０３の大きさに対して、貼り付ける画像１３０４を最小で包含する大きさで縦横のアスペクト比を変えずに変倍をかけ貼り付けることを示すものである。実際の傾き角度θの求め方については図１１より求められる。Ｓ１２０２ではＳ１２０１にて求められた傾き角度θが４５度以下かどうかの判断を行う。傾きが４５度以下の例として図９にて説明する。図９ではフォトフレーム９０２に対して画像データ９０１を最小フィット形式で貼り付ける事例である。まず、ページエリアの座標軸を示すＸ軸９０４Ｙ軸９０３を基準として、フォトフレームの重心Ｇを求める各辺の中点からの線分９０５，９０６より、Ｙ軸９０３と線分９０５で挟む角度９０７がここでの閾値となる傾き角度θとなる。例としては傾き角度θが４５度以下となり（Ｓ１２０２）、フォトフレーム９０２の各頂点ａ、ｂ、ｃ、ｄより辺ａ−ｂを上辺としてセットするＳ１２０３。Ｓ１２０５にて最大フィットかの判断を行い、事例では最小フィットなのでＳ１２０７描画イメージを最小フィットにセット（Ｓ１２０５にて最大フィットと判断した場合はＳ１２０６描画イメージ���最大フィットにセット）、Ｓ１２０８にて画像データの縦横アスペクト比を保持して拡大／縮小を行う。続いて、傾きが４５度を超える例として図１０にて説明する。同様に、ページエリアの座標軸を示すＸ軸１００４Ｙ軸１００３を基準として、フォトフレームの重心Ｇを求める各辺の中点からの線分１００５，１００６より、Ｙ軸１００３と線分１００５で挟む角度１００７がここでの閾値となる傾き角度θとなる。例としては傾き角度θが４５度以上となり（Ｓ１２０２）、フォトフレーム１００２の各頂点ａ、ｂ、ｃ、ｄより辺ｄ−ａを上辺としてセットするＳ１２０４。Ｓ１２０５にて最大フィットかの判断を行い、事例では最小フィットなのでＳ１２０７描画イメージを最小フィットにセット（Ｓ１２０５にて最大フィットと判断した場合はＳ１２０６描画イメージを最大フィットにセット）、Ｓ１２０８にて画像データの縦横アスペクト比を保持して拡大／縮小を行う。Ｓ６０４フォトフレーム内表示設定処理を完了することでフォトフレーム内に表示する画像情報が作成され、Ｓ６０５にてフォトフレーム内画像データ表示を行う。
【００２４】
次のステップＳ３０３ではレイアウト編集工程にあたり、前記Ｓ３０２までの一連の処理で作成した電子アルバムデータの最終的なレイアウトの調整を示している。図７では、傾きがないフォトフレーム７０１に対して画像データ７０４を、傾き角度が４５度以下のフォトフレーム７０２に対して画像データ７０５を、傾き角度が４５度以上のフォトフレーム７０３に対して画像データ７０６を、それぞれ貼り付ける例を表している。ここでも、ステップＳ６０４と同様のフォトフレーム内表示設定処理が実行される。
【００２５】
ステップＳ３０４でユーザが電子アルバムの保存処理を行う場合、ステップＳ３０５の電子アルバム保存工程で、作成した電子アルバムの保存処理を行う。
【００２６】
以上により、一連の電子アルバム編集処理が完了することになる。
【００２７】
＜第２の実施例＞
図１４は、前記実施例１での傾斜角度があるフォトフレームに画像を貼り付けた後のフォトフレームを任意角度で回転した場合のものである。画像データ１４０１を傾斜角度が付いたフォトフレーム１４０２に辺ａ−ｂを上辺として最小フィットで貼り付けたものに対して、任意の回転を加えた場合には１４０３が示す通りに、貼り付け時に傾斜角度によって変化させずに、貼付け後はフォトフレームと一体化処理を行い、ユーザが任意で指定したフォトフレームの回転角度に従って貼り付けた画像データもそれに追随して同様な角度で描画を行う。
【００２８】
＜他の実施例＞
本発明の目的は前述した実施例の機能を実現するソフトウエアのプログラムコードを記録した記録媒体を、システムあるいは装置に供給し、そのシステムあるいは装置のコンピュータ（またはＣＰＵまたはＭＰＵ）が記録媒体に格納されたプログラムコードを読み出し実行することによっても、達成されることは言うまでもない。この場合、記憶媒体から読み出されたプログラムコード自体が前述した実施形態の機能を実現することとなり、そのプログラムコードを記憶した記憶媒体は本発明を構成することになる。
【００２９】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００３０】
また、コンピュータが読み出したプログラムコードを実行することにより、前述した実施例の機能が実現されるだけでなく、そのプログラムコードの指示に基づき、コンピュータ上で稼動しているＯＳ（オペレーションシステム）などが実際の処理の一部または全部を行い、その処理によって前述した実施例の機能が実現される場合も含まれることは言うまでもない。
【００３１】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００３２】
【図１】本発明に係る一実施例の画像編集装置の構成を示すブロック図。
【図２】本発明に係る一実施例の電子アルバム編集アプリケーションの全体構成を表した説明図。
【図３】本発明に係る一実施例の電子アルバムレイアウト処理に関する大まかな動作を説明するフローチャート。
【図４】本発明に係る一実施例の電子アルバム編集プログラムの機能構成を示すブロック図。
【図５】本発明に係る一実施例のレイアウトテンプレートデータ指定方法の説明図。
【図６】本発明に係る一実施例の画像データ選択工程のフォローチャート。
【図７】本発明に係る一実施例の選択画像データ貼付処理の説明図。
【図８】本発明に係る一実施例の傾斜角度がないフォトフレームへの貼付け説明図。
【図９】本発明に係る一実施例の傾斜角度が４５度以下のフォトフレームへの貼付け説明図。
【図１０】本発明に係る一実施例の傾斜角度が４５度以上のフォトフレームへの貼付け説明図。
【図１１】本発明に係る一実施例の傾斜角度θの計算方法説明図。
【図１２】本発明に係る一実施例のフォトフレーム内表示設定処理のフローチャート。
【図１３】本発明に係る一実施例の最大フィットと最小フィットの説明図。
【図１４】本発明に係る一実施例の傾斜角度があるフォトフレームへ貼付け後のフォトフレーム回転の状態説明図。
【符号の説明】
【００３３】
１０１  ＣＲＴ
１０２  ビデオＲＡＭ（ＶＲＡＭ）
１０３  ＢＭＵ
１０４  キーボード
１０５  ＰＤ（ポインティングデバイス）
１０６  ＣＰＵ
１０７  ＲＯＭ
１０８  ＲＡＭ
１０９  ＨＤＤ（ハードディスク）
１１０  ＦＤＤ（フロッピー（登録商標）ディスク）
１１１  Ｎｅｔ−Ｉ／Ｆ
１１２  ネットワーク網
１１３  ＣＰＵバス
【図１】
2006134229.tif 000003
【図２】
2006134229.tif 000004
【図３】
2006134229.tif 000005
【図４】
2006134229.tif 000006
【図５】
2006134229.tif 000007
【図６】
2006134229.tif 000008
【図７】
2006134229.tif 000009
【図８】
2006134229.tif 000010
【図９】
2006134229.tif 000011
【図１０】
2006134229.tif 000012
【図１１】
2006134229.tif 000013
【図１２】
2006134229.tif 000014
【図１３】
2006134229.tif 000015
【図１４】
2006134229.tif 000016